(57)【要約】【課題】出力制御型照明器具において、点灯出力が正しく制御されているかどうかを容易に確認することができる、特に、点灯出力が出力最大値の約１００％に制御されている場合であっても、点灯出力が正しく制御されているかどうかを容易に確認することができる出力制御型照明器具を提供する。【解決手段】放電灯２と、放電灯２の明るさを検出する明るさ検出手段６と、明るさ検出手段６の検出結果に従って放電灯２の明るさが明るさ目標値となるように点灯出力を制御する制御部７と、を備えた出力制御型出力制御型照明器具１であって、制御部７は明るさ目標値変更手段８を有し、明るさ目標値変更手段８が動作する場合に、明るさ目標値が動作確認用目標値に変更される。【選択図】図１
2008066262.tif 000002
【特許請求の範囲】
【請求項１】
放電灯と、放電灯の明るさを検出する明るさ検出手段と、明るさ検出手段の検出結果に従って放電灯の明るさが明るさ目標値となるように点灯出力を制御する制御部と、を備えた出力制御型照明器具であって、制御部は明るさ目標値変更手段を有し、明るさ目標値変更手段が動作する場合に、明るさ目標値が動作確認用目標値に変更されることを特徴とする出力制御型照明器具。
【請求項２】
動作確認用目標値は、明るさ目標値よりも小さいものであることを特徴とする請求項１記載の出力制御型照明器具。
【請求項３】
動作確認用目標値は、明るさ目標値よりも大きいものであることを特徴とする請求項１記載の出力制御型照明器具。
【発明の詳細な説明】
【技術分野】
【０００１】
本発明は、放電灯と、放電灯の明るさを検出する明るさ検出手段と、明るさ検出手段の検出結果に従って放電灯の点灯出力を制御する制御部と、を備えた出力制御型照明器具に関するものである。
【背景技術】
【０００２】
従来から、放電灯と、放電灯の明るさを検出する明るさ検出手段と、明るさ検出手段の検出結果に従って放電灯の点灯出力を制御する制御部と、を備えた出力制御型照明器具として特開２０００−３４０３８７号公報（特許文献１）、特開２００５−１２３１５２号公報（特許文献２）に記載されている技術が知られている。
【０００３】
特許文献１には、棒状直管の蛍光灯ランプと、蛍光灯ランプの明るさを検出する光センサと、光センサの検出結果に従って蛍光灯ランプの明るさを制御する制御回路と、を備えた蛍光灯装置が記載されており、光センサの検出結果によって蛍光灯ランプの明るさを制御することで，照明器具近傍の照明環境の変化，蛍光灯ランプの経時的出力減少，等による出力ばらつきを抑制し，蛍光灯ランプの明るさが，予め設定された目標照度となる照明器具を提供するものである。
【０００４】
特許文献２には、棒状直管の蛍光灯ランプと、蛍光灯ランプの明るさを検出するフォトダイオードと、フォトダイオードの検出結果に従って蛍光灯ランプの明るさを制御する制御回路と、を備えた照明器具が記載されており、フォトダイオードの検出結果によって蛍光灯ランプの明るさを制御することで，所望の光以上の無駄な光をカットして小エネルギを行い，光源のばらつき，器具ごとの照度ばらつきを小さくすることができる照明器具を提供するものである。
【特許文献１】特開２０００−３４０３８７号公報
【特許文献２】特開２００５−１２３１５２号公報
【発明の開示】
【発明が解決しようとする課題】
【０００５】
しかしながら、かかる照明器具による点灯出力の制御は，制御回路によって自動的に行われるものであり、かつ瞬時に顕著な出力変化があることはほとんど無いことから、点灯出力の制御が正しく行われているかどうか確認し難いことが懸念される。
【０００６】
特に、点灯出力の制御は放電灯の経時的出力減少の影響を大きく受けることから、累積点灯時間の増加に従って，出力減少を補うために点灯出力は増加され，相当の累積点灯時間の経過後は，出力最大値の約１００％の出力で点灯する状態となりやすい（図３における実線を参照）。この場合、制御の結果、約１００％の出力を維持しているのか、いずれかの故障により約１００％の出力以外を制御ができないのか、判断することができないことが懸念される。
【０００７】
本願発明は、上記背景技術に鑑みてなされたものであり、その課題は、出力制御型照明器具において、点灯出力が正しく制御されているかどうかを容易に確認することができる、特に、点灯出力が出力最大値の約１００％に制御されている場合であっても、点灯出力が正しく制御されているかどうかを容易に確認することができる出力制御型照明器具を提供することである。
【課題を解決するための手段】
【０００８】
上記課題を解決するために、請求項１に記載された発明は、放電灯と、放電灯の明るさを検出する明るさ検出手段と、明るさ検出手段の検出結果に従って放電灯の明るさが明るさ目標値となるように点灯出力を制御する制御部と、を備えた出力制御型照明器具であって、制御部は明るさ目標値変更手段を有し、明るさ目標値変更手段が動作する場合に、明るさ目標値が動作確認用目標値に変更されることを特徴とする出力制御型照明器具である。
【０００９】
また、請求項２に記載された発明は、動作確認用目標値は、明るさ目標値よりも小さいものであることを特徴とする請求項１記載の出力制御型照明器具である。
【００１０】
また、請求項３に記載された発明は、動作確認用目標値は、明るさ目標値よりも大きいものであることを特徴とする請求項１記載の出力制御型照明器具である。
【００１１】
ここで，明るさ目標値とは，あらかじめ、放電灯ごと、または、器具ごとに決められた設計寿命末期の明るさの値で、例えば、ある放電灯で初期の光束を１００％とすると、累積点灯時間の経過により光束劣化が起り、寿命末期では初期の光束の７０％になるような場合、この７０％に相当する。
【００１２】
また，動作確認用目標値とは，本来の明るさ目標値から光束が変化することが分かるように設定された、明るさ目標値とは異なる値である。
【発明の効果】
【００１３】
請求項１に記載された発明によれば、制御部は明るさ目標値変更手段を有し、明るさ目標値変更手段が動作する場合に、明るさ目標値が動作確認用目標値に変更されるので、点灯出力が正しく制御されているかどうかを確認する場合には、明るさ目標値を動作確認用目標値に変更することで、放電灯に対し、瞬時に顕著な出力変化を生じさせ、この変化が視認されることをもって、点灯出力が正しく制御されているかどうかを容易に確認することができる。
【００１４】
請求項２に記載された発明によれば、動作確認用目標値は、明るさ目標値よりも小さいものであるので、点灯出力が出力最大値の約１００％に制御されている場合に、これが正しく制御されているかどうかを確認するために、明るさ目標値を動作確認用目標値とすると、瞬時に出力が小さくなり、この変化が視認されることをもって、点灯出力が正しく制御されているかどうかを確認することができる。
【００１５】
請求項３に記載された発明によれば、動作確認用目標値は、明るさ目標値よりも大きいものであるので、点灯出力が出力最大値の約１００％よりも小さく制御されている場合に、これが正しく制御されているかどうかを確認するために、明るさ目標値を動作確認用目標値とすると、瞬時に出力が大きくなり、この変化が視認されることをもって、点灯出力が正しく制御されているかどうかを確認することができる。
【発明を実施するための最良の形態】
【００１６】
本願発明の第一実施形態として、本願の請求項１及び２に対応した出力制御型照明器具１について図１により説明する。
【００１７】
本第一実施形態の出力制御型照明器具１は、図１に示す如く、放電灯２と、放電灯２の明るさを検出する明るさ検出手段６と、明るさ検出手段６の検出結果に従って放電灯２の明るさが明るさ目標値となるように点灯出力を制御する制御部７と、を備えた出力制御型照明器具１であって、制御部７は明るさ目標値変更手段９を有し、明るさ目標値変更手段９が動作する場合に、明るさ目標値が動作確認用目標値に変更されることを特徴とする。
【００１８】
また、動作確認用目標値は、明るさ目標値よりも小さいものであることを特徴とする。
【００１９】
以下、本第一実施形態による出力制御型照明器具１を、より具体的詳細に説明する。
【００２０】
最初に、出力制御型照明器具１であるが、これは放電灯２と、点灯回路３と、反射面４と、明るさ検出手段６と、制御部７とで、構成される。
【００２１】
放電灯２は、棒状直管のものであり、蛍光灯、無電極放電灯等の汎用のものを使用することができる。本実施形態においては、図１に示す如く、一本の蛍光灯を使用している。
【００２２】
点灯回路３は、放電灯２を点灯させる高周波電力を供給するものであり、本実施形態においては、商用電源を整流する整流平滑回路と、整流された電力を高周波電力に返還するハーフブリッジ型インバータを主要構成要素とするものである。
【００２３】
また点灯回路３は、制御部７からの信号によって放電灯２の光出力を調節し、明るさを一定に保つものである。
【００２４】
反射面４は、放電灯２の光を照射面に有効に導くことで出力制御型照明器具１としての効率を向上させるもので、汎用のものが使用される。本実施形態においては、金属製のものを用いている。
【００２５】
反射面４には、図１及び図２に示す如く、放電灯２からの光を明るさ検出手段６に導く検出孔５が、丸い穴として設けられている。
ここで図２に示す如く、放電灯２の長手方向の略中心の直上に設けられている。
【００２６】
明るさ検出手段６は、光入力を電気信号に変換する手段であり、本第一実施形態においては、フォトダイオードを主要構成要素とするものである。
【００２７】
また、安定した電気信号を得るために、検出値をＡＤ変換し、さらにＡＤ変換値を平均化してもよい。
【００２８】
制御部７は、明るさ検出手段６からの電気信号を受けて、点灯回路３の光出力を制御する信号を送信するもので、マイクロコンピュータを主要構成要素とする。
【００２９】
明るさ目標値変更手段８は、変更指示を受けて、明るさ目標値を動作確認用目標値に変更するもので、各目標値を記憶するメモリと、図示しない変更指示入力手段からの指示を受けて明るさ目標値を変更するか否かを判断するマイクロコンピュータと、を主要構成要素とする。
【００３０】
ここで、動作確認用目標値は、明るさ目標値よりも小さいものに設定されており，本第一実施形態では明るさ目標値の０．５倍となるように設定されている。
【００３１】
続いて、本第一実施形態による出力制御型照明器具１の動作を、より具体的詳細に説明する。
【００３２】
最初に、通常の点灯制御であるが、出力制御型照明器具を動作させると、点灯回路３が動作し、放電灯２が点灯する。
【００３３】
次に、明るさ検出手段６が、検出孔５を介して、放電灯２の明るさを検出する。
【００３４】
次に、制御部７が、放電灯２の明るさが明るさ目標値となるように点灯出力を制御する。多くの場合は、放電灯２の経時的出力減少により、累積点灯時間の増加に伴って点灯出力を増加させるように制御することとなる。
【００３５】
次に、正しく制御されているかどうかを確認する場合であるが、この場合は、図示しない変更指示入力手段に変更指示を入力することにより、明るさ目標値変更手段８を動作させ、明るさ目標値を動作確認用目標値に変更する。動作確認用目標値は、明るさ目標値よりも小さいものであるので、瞬時に出力が小さくなる（図３において，実線の出力から点線の出力へ切り替る）。
【００３６】
以上のように、本第一実施形態による出力制御型照明器具１によれば、制御部７は明るさ目標値変更手段８を有し、明るさ目標値変更手段８が動作する場合に、明るさ目標値が動作確認用目標値に変更されるので、点灯出力が正しく制御されているかどうかを確認する場合には、明るさ目標値を動作確認用目標値に変更することで、放電灯２に対し、瞬時に顕著な出力変化を生じさせ、この変化が視認されることをもって、点灯出力が正しく制御されているかどうかを容易に確認することができる。
【００３７】
また本第一実施形態による出力制御型照明器具１によれば、動作確認用目標値は、明るさ目標値よりも小さいものであるので、点灯出力が出力最大値の約１００％に制御されている場合に、これが正しく制御されているかどうかを確認するために、明るさ目標値を動作確認用目標値とすると、瞬時に出力が小さくなり、この変化が視認されることをもって、点灯出力が正しく制御されているかどうかを確認することができる。
【００３８】
引き続き，本願発明の第二実施形態として、本願の請求項１及び３に対応した出力制御型照明器具３について説明するが，第一実施形態と相違するのは，動作確認用目標値が明るさ目標値よりも大きいものに設定されている点であり，それ以外は第一実施形態と同じであり，省略する。
【００３９】
本第二実施形態では段調光（上記１００％点灯に対して、５０％の明るさとする）の明るさ目標値の１．８倍（上記１００％点灯の明るさ目標値に対して０．９倍）となるように設定されている。
【００４０】
続いて，本第二実施形態による出力制御型照明器具１の動作を、より具体的詳細に説明するが，通常の点灯制御に関しては第一実施形態と同じであり，省略する。
【００４１】
最初に、通常の点灯制御であるが、出力制御型照明器具を動作させると、点灯回路３が動作し、放電灯２が点灯する。
【００４２】
第二実施形態において，正しく制御されているかどうかを確認する場合であるが、この場合は、図示しない変更指示入力手段に変更指示を入力することにより、明るさ目標値変更手段８を動作させ、明るさ目標値を動作確認用目標値に変更する。動作確認用目標値は、明るさ目標値よりも大きいものであるので、瞬時に出力が大きくなる（図４において，実線の出力から太い点線の出力へ切り替る）。
【００４３】
明るさ目標値よりも動作確認用目標値が大きい場合の例であるが、例えば、図示しない変更指示入力手段により本来の明るさ目標値１００％（図４において、細い点線）に対して、段調光（上記１００％点灯に対して、５０％の明るさとする）の切り替えができるような場合、この段調光時の明るさ目標値を基準として、動作確認を行うような場合が該当する。
【００４４】
ここでは、段調光は本来の明るさ目標値１００％に対して５０％、動作確認用目標値は同様に９０％としているが、この数値に限るものではない。
【００４５】
以上のように、本第二実施形態による出力制御型照明器具１によれば、制御部７は明るさ目標値変更手段８を有し、明るさ目標値変更手段８が動作する場合に、明るさ目標値が動作確認用目標値に変更されるので、点灯出力が正しく制御されているかどうかを確認する場合には、明るさ目標値を動作確認用目標値に変更することで、放電灯２に対し、瞬時に顕著な出力変化を生じさせ、この変化が視認されることをもって、点灯出力が正しく制御されているかどうかを容易に確認することができる。
【００４６】
また本第二実施形態による出力制御型照明器具１によれば、動作確認用目標値は、明るさ目標値よりも大きいものであるので、点灯出力が出力最大値の約１００％よりも小さく制御されている場合に、これが正しく制御されているかどうかを確認するために、明るさ目標値を動作確認用目標値とすると、瞬時に出力が大きくなり、この変化が視認されることをもって、点灯出力が正しく制御されているかどうかを確認することができる。
【００４７】
もとの明るさ制御可能な出力制御型照明器具において、段調光変更指示入力手段のような入力機能とその時の目標値を記憶していれば、動作確認用変更指示入力手段を段調光変更指示入力手段として、動作確認用目標値を段調光時の制御目標値、または、１００％点灯時の制御目標値と共通にすることも可能である。
【００４８】
なお，本第一及び第二実施形態に加えて，反射板の光照射口に保護カバーを設けたり，明るさ検出手段を，その機能を阻害しないように保護カバーを設けてもよい。この場合，本願発明にかかる出力制御型照明器具を屋外用途，施設用途に展開することができ，特に，汚れやすい，トンネル照明や，道路照明に展開することが可能となる。
【００４９】
ここでは、放電灯に直線状の蛍光灯を用いて説明しているが、この状態に限ったものではない。また，反射面４に設置される検出孔は丸型の穴を用いて説明しているが、この丸穴に限ったものではない。
【図面の簡単な説明】
【００５０】
【図１】本願発明の一実施形態における照明器具の斜視図
【図２】本願発明の一実施形態におけるＡ−Ａ’断面図
【図３】本願発明の第一実施形態における出力制御の経時変化と動作確認目標値の関係を示す説明図
【図４】本願発明の第二実施形態における出力制御の経時変化と動作確認目標値の関係を示す説明図
【符号の説明】
【００５１】
１      照明器具
２      放電灯
３      点灯回路
４      反射板
５      検出孔
６      明るさ検出手段
７      制御部
８      明るさ目標値変更手段
【図１】
2008066262.tif 000003
【図２】
2008066262.tif 000004
【図３】
2008066262.tif 000005
【図４】
2008066262.tif 000006